(57)【要約】【課題】  内容器内にヒータを設けた場合においても、内容器内面をフラットにし、メンテナンスを容易にする。【解決手段】  内筒および外筒よりなる真空２重壁構造の内容器と、該内容器内の湯を所定の温度に加熱する加熱手段と、上記内容器を介して上記内容器内の湯温を検出する湯温検出手段とを備えてなる電気ポットにおいて、上記内容器の内筒を外筒側に凹ませて凹部を形成し、該凹部内に上記加熱手段を所定のカバー部材を介して同一平面状態をなすように収納設置した。【選択図】        図２
2007167287.tif 000002
【特許請求の範囲】
【請求項１】
内筒および外筒よりなる真空２重壁構造の内容器と、該内容器内の湯を所定の温度に加熱する加熱手段と、上記内容器を介して上記内容器内の湯温を検出する湯温検出手段とを備えてなる電気ポットであって、上記内容器の内筒を外筒側に凹ませて凹部を形成し、該凹部内に上記加熱手段を所定のカバー部材を介して同一平面状態をなすように収納設置したことを特徴とする電気ポット。
【請求項２】
内容器の一部を断熱空間のない一重壁又は重合壁に形成し、該一重壁又は重合壁部分に給湯通路への湯導出口を貫通させたことを特徴とする請求項１記載の電気ポット。
【請求項３】
内筒側凹部の外周と収納された加熱手段のカバー部外周とを相互に溶接することにより、凹部内をシールしたことを特徴とする請求項１又は２記載の電気ポット。
【発明の詳細な説明】
【技術分野】
【０００１】
本願発明は、内容器内に加熱手段を備えた電気ポットに関するものである。
【背景技術】
【０００２】
一般に電気ポットでは、水を収容する内容器の底部外側に電気ヒータ等の加熱手段を設け、内容器を介して外側から内容器内の水を間接的に加熱するようになっている。
【０００３】
しかし、このような構成の場合、内容器内の水に対する加熱効率が悪い。
【０００４】
また内筒と外筒よりなる真空２重壁構造の電気ポットの場合、必然的に電気ヒータに対応する底部の広い範囲を一重壁構造にしなければならないために、保温性能が低下する問題もある。
【０００５】
そこで、例えば内容器の底部に電気ヒータ落し込み用の凹部を形成し、該凹部内に防水カバーで被覆した電気ヒータを落し込んで設置するようにしたものが提案されている（特許文献１参照）。
【０００６】
【特許文献１】実願昭６３−１５７７３９号（実開平２−７８１２６号）の明細書１〜１４頁および図面第１図，第２図
【発明の開示】
【発明が解決しようとする課題】
【０００７】
しかし、上記特許文献１のものでは、内容器内の底部に電気ヒータ落し込み用の大きな凹部が形成され、その途中に円板状の電気ヒータが位置する状態で支持されるようになっているために、メンテナンス性が悪く、手入れしにくい。
【０００８】
また、電気ヒータと内容器が完全に隔離されているので、電気ヒータからの熱が内容器の全体に伝わらず、必ずしも加熱効率が良くない。
【０００９】
また、電気ヒータが中に浮いた形となっているので、電気ヒータ支持状態の安定性も悪く、損傷しやすい。
【００１０】
本願発明は、このような問題を解決するためになされたもので、内容器の内筒を外筒側に凹ませて凹部を形成し、該凹部内に加熱手段を所定のカバー部材を介して同一平面状態をなすように収納設置することによって、同問題を解決した電気ポットを提供することを目的とするものである。
【課題を解決するための手段】
【００１１】
本願発明は、上記の目的を達成するために、次のような課題解決手段を備えて構成されている。
【００１２】
（１）  第１の課題解決手段
この発明の第１の課題解決手段は、内筒および外筒よりなる真空２重壁構造の内容器と、該内容器内の湯を所定の温度に加熱する加熱手段と、上記内容器を介して上記内容器内の湯温を検出する湯温検出手段とを備えてなる電気ポットであって、上記内容器の内筒を外筒側に凹ませて凹部を形成し、該凹部内に上記加熱手段を所定のカバー部材を介して同一平面状態をなすように収納設置したことを特徴としている。
【００１３】
このような構成によれば、内容器の内筒を外筒側に凹ませて凹部を形成し、凹部内にヒータカバー等の所定のカバー部材を介して電気ヒータ等の加熱手段を設置しているので、所定のカバー部材を介して内容器内の水が加熱されることはもちろん、内筒自体を介して内容器内の水の全体が効率良く加熱される。
【００１４】
また、ヒータカバー等の所定のカバー部材は、内筒と同一平面状態をなすように電気ヒータ等の加熱手段をカバーしているので、内筒内の面一性が保たれ、メンテナンス性も良好となる。
【００１５】
また、加熱手段の設置状態も安定したものとなる。
【００１６】
（２）  第２の課題解決手段
この発明の電気ポットは、上記第１の課題解決手段の構成において、内容器の一部を断熱空間のない一重壁又は重合壁に形成し、該一重壁又は重合壁部分に給湯通路への湯導出口を貫通させたことを特徴としている。
【００１７】
このように、内容器の一部を断熱空間のない一重壁又は重合壁に形成し、該一重壁又は重合壁部分に給湯通路への湯導出口を貫通させるようにすると、湯導出口の形成が容易になる。
【００１８】
（３）  第３の課題解決手段
この発明の電気ポットは、上記第１又は第２の課題解決手段の構成において、内筒側凹部の外周と収納された加熱手段のカバー部材外周とを相互に溶接することにより、凹部内をシールしたことを特徴としている。
【００１９】
このように、内筒側凹部の外周と収納された加熱手段のカバー部材外周とを相互に溶接することにより、凹部内をシールすると、シール性が良好になり、内容器内筒内の面一性が一層向上するとともに、カバー部材が内筒と一体となり、加熱時の熱の内筒側への伝熱性も向上する。
【発明の効果】
【００２０】
以上の結果、本願発明によると、メンテナンス性に優れ、加熱効率の高い高性能の電気ポットを実現することができる。
【発明を実施するための最良の形態】
【００２１】
（最良の実施の形態１）
以下、添付の図面を参照して、本願発明の最良の実施の形態１に係る電気ポットの構成と作用について説明する。
【００２２】
図１および図２には、同電気ポットの全体および要部の構成が示されている。
【００２３】
この電気ポットは、先ず図１に示すように、貯湯用の内容器３を備えた容器本体１と、該容器本体１の上部側開口部を開閉する蓋体２と、上記内容器３を湯沸し又は保温時において加熱する加熱手段である線状の電気ヒータ４と、上記内容器３内の湯を外部へ給湯するための給湯通路５と、ＡＣ電源が接続されている状態において上記給湯通路５を介して上記内容器３内の湯を外部に送り出す電動給湯ポンプ６と、ＡＣ電源が接続されていない状態において上記給湯通路５を介して内容器３内の湯を外部に送り出すエア式の手動給湯ポンプ１８とを備えて構成されている。
【００２４】
上記容器本体１は、外側面部を構成する合成樹脂製の筒状の外ケース７と、内側面部を構成する上記内容器３と、上記外ケース７と内容器３とを上部側で一体に結合固定する合成樹脂製の肩部材８と、上記外ケース７の底面部を構成する合成樹脂製の底部材９とからなっている。
【００２５】
上記内容器３は、例えば図２に詳細に示すように、ステンレス製の有底円筒形状の内筒１０と同じくステンレス製の円筒形状の外筒１１よりなり、それらの間に真空断熱空間を設けた保温性能の高い真空二重壁構造のものからなっており、その略底部中央には、上記内筒１０の底板部分を外筒１１の底板側に凹ませることにより形成された所定の深さの円形の凹部１０ａが形成されている。
【００２６】
そして、該凹部１０ａ内には、上記線状の電気ヒータ４が上記内筒１０と同じ金属材料よりなるヒータカバー４０を介して内筒１０の底板と略同一平面を形成するように収納されている。上記内筒１０側の凹部１０ａの外周と上記ヒータカバー４０の外周とは相互に溶接により接合されて上記電気ヒータ４が収納された凹部１０ａ内を液密にシールしている。電気ヒータ４は、ヒータカバー４０に対して伝熱性良く接触する形で設置されている。
【００２７】
また同凹部１０ａの底板部分は、その略中央部付近では上記外筒１１の底板部と重合された重合壁となっており、構造上実質的に一重壁部分Ａを形成しており、同一重壁部分Ａの中央に貫通孔を形成して湯温検出用の筒状の温度センサー１３が下方側から嵌挿して設置されている。該温度センサー１３は、その先端側温度感知部１３ａ部分が上記ヒータカバー４０の略中央部に形成された上方への突出部４０ａの裏面側に当接しているとともに下端部１３ｂ部分が筒状の断熱材４１で覆われている。
【００２８】
一方、上記内容器３の底部下方の外筒１１の底板部と底板材９との間には、略外筒１１の底板部の広さに対応する広さの金属製の遮熱板４２が設けられている。この遮熱板４２は、上記外筒１１の底板部分に溶着固定されたネジ溝を有するスリーブ構造のスペーサ部材４３，４３・・・を介し、ビスネジ４４，４４・・・で取り付けられている。そして、上記温度センサー１３の断熱部材４１部分も同遮熱板４２によって支持され、そのリード線１３ｃ部分は同遮熱板４２を貫通して下方に引き出されている。
【００２９】
他方、上記内容器３の上端部には、上記内筒１０側の上端部を中心軸方向に向けて絞り加工したヒートキープ構造の小径の給水用の開口部３ｂが形成されている。
【００３０】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００３１】
この蓋体２には、ＡＣ電源が接続されていない状態でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。
【００３２】
なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００３３】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００３４】
上記給湯通路５の上流端側である上記内容器３の下部位置には、内容器３側湯導入筒６ａ、給湯ポンプ側湯吸入口６ｂを介して直流型の電動給湯ポンプ６が配設されており、この給湯通路５においては上記湯導入筒６ａを介して内筒１０の湯導出口１０ｂより吸入された湯が当該電動給湯ポンプ６のポンピング作用により、その吐出口５ａから吐出され、同給湯通路５の直管部５ｂを経て、転倒止水弁側連結パイプ５ｃから外部への湯注出口５ｄに導かれる。
【００３５】
そして、符号８０は定量給湯時等の流量測定に使用される流量センサであり、例えば回転支軸８１の外周に筒状のハブを介して螺旋状の回転スクリュー羽根８２を遊嵌し、それらを上記給湯通路５の直管部５ｂの上端に嵌合筒を介して嵌合固定して構成されている。
【００３６】
上記内容器３の湯導出口１０ｂは、内容器３の底部３ａの一部を断熱空間のない完全な一重壁部分Ｂに形成し、該一重壁部分Ｂに同給湯通路５への湯導出口１０ｂを貫通させて設けている。
【００３７】
さらに、符号３５は、後述する各種スイッチ類の操作面や液晶表示部の表示面を備えた操作パネル部、５１ａは、マイコン制御部や各種スイッチ類、液晶表示装置等を備えたマイコン基板、５１は、液晶表示部の支持部材である。
【００３８】
以上のような構成によれば、内容器３の内筒１０を外筒１１側に凹ませて凹部１０ａを形成し、同凹部１０ａ内にヒータカバー４０等の所定のカバー部材を介して電気ヒータ４等の加熱手段を設置しているので、ヒータカバー４０等所定のカバー部材を介して内容器３内の水が加熱されることはもちろん、内筒１０自体を介して内容器３内の水の全体が効率良く加熱される。
【００３９】
また、ヒータカバー４０等の所定のカバー部材は、内筒１０と同一平面状態をなすように電気ヒータ４等の加熱手段をカバーしているので、内筒１０内の面一性が保たれ、メンテナンス性も良好となる。
【００４０】
また、電気ヒータ４等加熱手段の設置状態も安定したものとなる。
【００４１】
また、以上の構成では、内容器３の一部を断熱空間のない一重壁に形成し、該一重壁Ｂ部分に、給湯通路５への湯導出口１０ｂを貫通させるようにしているので、湯導出口１０ｂの形成が容易になる。
【００４２】
さらに、以上の構成では、内筒１０側の凹部１０ａの外周と収納された加熱手段のヒータカバー４０等カバー部材の外周とを相互に溶接することにより、凹部１０ａ内を液密にシールしている。
【００４３】
このように、内筒１０側の凹部１０ａの外周と収納された電気ヒータ４等加熱手段のカバー部材外周とを相互に溶接することにより、電気ヒータ４等の凹部１０ａ内をシールすると、シール性が良好になり、かつ内容器３の内筒１０内の面一性が一層向上するとともに、ヒータカバー４０等のカバー部材が内筒１０と一体となり、電気ヒータ４等加熱手段からの熱のヒータカバー４０等のカバー部材から内筒１０側への伝熱性能も向上する。
【００４４】
以上の結果、本実施の形態によると、メンテナンス性に優れ、加熱効率の高い高性能の電気ポットを実現することができる。
【００４５】
（最良の実施の形態２）
次に図３は、本願発明の最良の実施の形態２に係る電気ポットの構成を示している。
【００４６】
この最良の実施の形態では、上記最良の実施の形態１の構成の内容器３における給湯通路５側への湯導出口１０ｂを、上記電気ヒータ４を収納している凹部１０ａの中央部側内筒１０と外筒１１の実質的な一重壁部分Ａである重合壁部分においてヒータカバー４０を貫通する形で設け、給湯ポンプ６の湯吸入口６ｂに対して、湯導入筒６ａおよびＬ字形の連結パイプ４５を介して接続したことを特徴とするものである。
【００４７】
このような構成によれば、上記最良の実施の形態１の構成に比べて上記凹部１０ａ形成部分および実質的な一重壁部分Ａである重合壁部分を若干広く取る必要はあるが、上述した図２の完全な一重壁部分Ｂをなくすることができ、その分断熱空間部分を広く形成することができるので、さらに保温性能が向上する。
【００４８】
（最良の実施の形態３）
次に図４は、本願発明の最良の実施の形態３に係る電気ポットの構成を示している。
【００４９】
この最良の実施の形態３の構成では、上記最良の実施の形態１の構成において、遮熱板４２を底板４２ａと側板４２ｂよりなる全体として筒状のものに形成し、内容器３の上端側開口部３ｂ付近までの全体を包むように構成することにより、周囲への内容器３の対流熱および伝導熱を遮断して、より一層保温性能を向上させたことを特徴とするものである。
【００５０】
（最良の実施の形態４）
次に図５は、本願発明の最良の実施の形態４に係る電気ポットの構成を示している。
【００５１】
この最良の実施の形態では、上記最良の実施の形態１〜３のように、内容器３の底板側に電気ヒータ４を設けるのではなく、内容器３の底部側内筒１０の側板１０ｃの一部を外筒１１の側板１１ｃ側に凹ませることにより、電気ヒータ収納用の凹部１０ａを形成し、該凹部１０ａ内に、上記同様の線状の電気ヒータ４が、上記同様の内筒１０側に溶接接合されたヒータカバー４０を介して上記内筒１０の側板１０ｃと略同一平面を形成するように収納されている。
【００５２】
一方、同電気ヒータ収納用の凹部１０ａに対応する外筒１１の側板部１１ｃ部分は、上記各実施の形態のように外筒１０の側板部１０ｃと重合されて実質的に一重壁構造部Ａを形成しているのではなく、外筒１１の側板１１ｃ自体も外側に凹ませられて内筒１０の凹部１０ａとの間に十分な断熱空間を形成している。
【００５３】
そして、それら各凹部１０ａ，１１ａ部分に電気ヒータ４からのリード線４６ａを引き出す小孔４６を形成し、外筒１１側に嵌合された断熱材４１を貫通してリード線４６ａが引き出されるように構成されている。
【００５４】
他方、上記内筒１０の底板部分は、その略中央部付近では上記外筒１１の底板部と重合されて実質的に一重壁構造部を形成しており、さらに同一重壁構造部分の外筒１１側の底板をカットした完全な一重壁Ｂ部分に湯温検出用の筒状の温度センサー１３が、その先端側温度感知部１３ａ部分を圧接させた状態で設置されている。
【００５５】
このような構成によると、内容器３の完全な一重壁となる部分Ｂは、上記温度センサー１３の当接部（温度検知部）のみとなり、その他の部分は全て保温性能の高い真空断熱空間を形成することになる。
【００５６】
したがって、さらに保温性能が向上する。
【００５７】
（最良の実施の形態５）
次に図６は、本願発明の最良の実施の形態５に係る電気ポットの構成を示している。
【００５８】
この最良の実施の形態では、内容器３の内側に別途断面ハット型の環状カバー６０を設けて、上記最良の実施の形態４の構成と同様に、内容器３の底部側板側に電気ヒータ４を設置する一方、湯温検出用の温度センサー１３も同底部側板側に一緒に設置するようにし、さらに、それら電気ヒータ４および温度センサー１３の各リード線６１，６２を電源基板５１およびマイコン基板５１ａを有する本体ケース７上端側の操作パネル部３５の裏側電装ボックス部分に適切に配線できるような構造の電気ヒータ等収納構造を実現したことを特徴とするものである。
【００５９】
すなわち、該構成では、内容器３底部の内筒１０の内側に別途断面ハット型の金属製の環状カバー６０を配設し、その内側凹部７０内に上述の各実施の形態のものと同様の電気ヒータ４を同環状カバー６０と伝熱可能に接触させて配設するとともに、温度センサー１３をも並設している。
【００６０】
環状カバー６０は、内筒１０に対して伝熱可能となるように、その両側縁部６０ｂ，６０ｂ部分を内筒１０の内周面に溶接接合することにより液密に一体化されている一方、その前面部側中央部の断面円弧状の一部７１は、その中央部に後方側に凹んだ上下方向に延びる凹溝部７１ａを形成しながら、内容器３の開口部３ｂ部分まで延びて、その上端７１ｂ部分が同開口部３ｂに対して、その開口縁と連続するように継ぎ足された形で重合一体化され、同開口部３ｂの一部を形成している。
【００６１】
一方、同円弧状部分７１の上端７１ｂが重合された内容器３の上端側開口部３ｂの上記凹溝部７１ａの上端に対応する部分には、前方側に向けて開口された開口部３ｃが形成されており、同開口部３ｃから上記凹溝部７１ａを介して引き上げた電気ヒータ４のリード線６１および温度センサー１３のリード線６２がそれぞれ引き出されて、操作パネル部３５裏側の電源基板５１およびマイコン基板５１ａに接続されている。
【００６２】
上記環状カバー６０の裏面側凹部７０には、裏側から蓋プレート７２が嵌合一体化されており、同蓋プレート７２によって支持バネ部材（板バネ部材）７２ａを介して温度センサー１３が環状カバー６０の凸部６０ａに圧接される形で取り付けられている。
【００６３】
他方、内容器３の底部３ａ部分は、内筒１０の底板の中央部分が上方に突出して、その内側に可及的に幅の広い断熱空間Ｓを形成しており、その完全な一重壁部分Ｂに上述の最良の実施の形態１のものと同様の構成で給湯通路５、給湯ポンプ６、湯吸入口６ｂ、湯導入筒６ａ、湯導出口１０ｂが設けられている。
【００６４】
このような構成によれば、内容器３の完全な一重壁となる部分Ｂは、給湯ポンプ６への湯導出口１０ｂ部分のみとなり、その他の部分は全て保温性能の高い真空断熱空間を形成することになる。したがって、さらに保温性能が向上する。
【００６５】
また、内容器３自体を加工する必要がないので、その点でも製造が容易である。
【００６６】
しかも、電気ヒータ４および温度センサー１３のリード線６１，６２をそのまま上方の電源基板５１およびマイコン基板５１ａに配線できるので、引き回し量が少なく、配線も容易になる。
【図面の簡単な説明】
【００６７】
【図１】本願発明の最良の実施の形態１に係る電気ポットの構成を示す右側方から見た中央縦断面図である。
【図２】同電気ポットの要部の拡大断面図である。
【図３】本願発明の最良の実施の形態２に係る電気ポットの構成を示す要部の拡大中央縦断面図である。
【図４】本願発明の最良の実施の形態３に係る電気ポットの構成を示す要部の拡大中央縦断面図である。
【図５】本願発明の最良の実施の形態４に係る電気ポットの構成を示す要部の拡大中央縦断面図である。
【図６】本願発明の最良の実施の形態５に係る電気ポットの構成を示す中央縦断面図である。
【符号の説明】
【００６８】
１は容器本体、３は内容器、４は電気ヒータ、５は給湯通路、６は電動給湯ポンプ、７は外ケース、９は底部材、１０は内筒、１０ａは凹部、１０ｂは湯導出口、１１は外筒、１２は貫通孔、１３は温度センサー、４０はヒータカバー、４０ａは突出部、４２は遮熱板、Ａは実質的な一重壁部分、Ｂは完全な一重壁部分である。
【図１】
2007167287.tif 000003
【図２】
2007167287.tif 000004
【図３】
2007167287.tif 000005
【図４】
2007167287.tif 000006
【図５】
2007167287.tif 000007
【図６】
2007167287.tif 000008